(57)【特許請求の範囲】
【請求項１】
磁性体からなる略十字状のコアに電線を巻き付けてＸ軸巻線部及びＹ軸巻線部を形成することによりＸ−Ｙ軸アンテナとし、または、磁性体からなる２つのコア片にそれぞれ電線を巻き付けることによりＸ軸巻線部及びＹ軸巻線部を形成するとともに、それら２つのコア片を略十字状に配置することによりＸ−Ｙ軸アンテナとし、
前記Ｘ−Ｙ軸アンテナは、合成樹脂材料により矩形状に一体形成されてなるケーシングの対角線上に設けられた当該Ｘ−Ｙ軸アンテナの外形形状に対応する略十字状の凹部に収容され、
さらに、前記ケーシングの外周面には被巻装凹部を連続して形成するとともに、当該被巻装凹部に電線を巻き付けてＺ軸巻線部を形成することによりＺ軸アンテナとし、
前記Ｘ−Ｙ軸アンテナ及び前記Ｚ軸アンテナは、前記ケーシングと、そのケーシングを覆うカバーとの協働により密閉されてなるチップ多軸アンテナ。
【請求項２】
請求項１に記載のチップ多軸アンテナにおいて、
磁性体からなる２つのコア片にそれぞれ電線を巻き付けることによりＸ軸巻線部及びＹ軸巻線部を形成するとともに、それら２つのコア片を互いの中央部分において略十字状に重ね合わせることによりＸ−Ｙ軸アンテナとする構成を採用し、
前記凹部は、Ｘ軸巻線部又はＹ軸巻線部が形成された一方のコア片の外形形状に対応する第１の凹部、並びにＹ軸巻線部又はＸ軸巻線部が形成された他方のコア片の外形形状に対応する第２の凹部を備え、
前記第１の凹部は、略十字状に重ね合わせられた２つのコア片の中央部分の厚みに対応する深さに形成されるとともに、当該第１の凹部の開口側には、前記第２の凹部が前記他方のコア片の厚みに対応する深さに形成されてなるチップ多軸アンテナ。
【発明の詳細な説明】
【技術分野】
【０００１】
本発明は、回路基板等に実装されて用いられるチップ多軸アンテナに関するものである。
【背景技術】
【０００２】
近年、車両においては、スマートエントリ装置、スマートイグニッション装置等の遠隔操作装置が種々用いられている。
例えば図２２に示すように、遠隔操作装置は、車両に設けられた送受信装置との相互通信を行う携帯機１０１を備えている。この携帯機１０１は、車両のユーザ（所有者）によって所持されるものである。また、携帯機１０１内には、電波を送受信装置とやりとりする１軸アンテナ１０２が搭載されている。
【発明の開示】
【発明が解決しようとする課題】
【０００３】
ところで、現状の携帯機１０１は嵩張るものであるため、一層の小型化が要求されている。しかし、携帯機１０１を小型化しようとしても、従来から用いられているメカキー１０３等の部品の小型化は困難である。そのため、例えば１軸アンテナ１０２等の電気部品を小型化することが考えられる。
【０００４】
ところが、１軸アンテナ１０２は、多方向からの電波を確実に受信するために携帯機１０１内において複数（図２２において２つ）設けられており、それぞれ異なる向きに配置されている。その結果、携帯機１０１内に２つ分の１軸アンテナ１０２の搭載スペースを確保しなければならなくなり、携帯機１０１全体が大型化してしまうという問題がある。
【０００５】
また、この場合、１軸アンテナ１０２は回路基板１０４上に別々に実装されるものであるため、１軸アンテナ１０２が互いにずれることにより指向性が低下してしまう可能性がある。
【０００６】
本発明は上記の課題に鑑みてなされたものであり、その目的は、小型化が可能なチップ多軸アンテナを提供することにある。
【課題を解決するための手段】
【０００７】
上記目的を達成するために、請求項１に記載の発明は、磁性体からなる略十字状のコアに電線を巻き付けてＸ軸巻線部及びＹ軸巻線部を形成することによりＸ−Ｙ軸アンテナとし、または、磁性体からなる２つのコア片にそれぞれ電線を巻き付けることによりＸ軸巻線部及びＹ軸巻線部を形成するとともに、それら２つのコア片を略十字状に配置することによりＸ−Ｙ軸アンテナとし、前記Ｘ−Ｙ軸アンテナは、合成樹脂材料により矩形状に一体形成されてなるケーシングの対角線上に設けられた当該Ｘ−Ｙ軸アンテナの外形形状に対応する略十字状の凹部に収容され、さらに、前記ケーシングの外周面には被巻装凹部を連続して形成するとともに、当該被巻装凹部に電線を巻き付けてＺ軸巻線部を形成することによりＺ軸アンテナとし、前記Ｘ−Ｙ軸アンテナ及び前記Ｚ軸アンテナは、前記ケーシングと、そのケーシングを覆うカバーとの協働により密閉されてなることを要旨とする。
【０００８】
本発明によれば、チップ多軸アンテナは、２個の１軸アンテナをそれぞれ異なる方向に配置したのと同じ機能を有するようになる。その結果、チップ多軸アンテナの搭載スペースを、１軸アンテナ２個分の搭載スペースよりも減らすことができる。つまり、チップ多軸アンテナの小型化が可能になり、チップ多軸アンテナの搭載が容易になる。
【００１０】
また、チップ三軸アンテナは、３個の１軸アンテナをそれぞれ異なる方向に配置したのと同じ機能を有するようになる。その結果、チップ三軸アンテナの搭載スペースを、１軸アンテナ３個分の搭載スペースよりも減らすことができる。つまり、チップ三軸アンテナの小型化が可能になり、チップ三軸アンテナの搭載が容易になる。また、ケーシングに被巻装凹部が設けられることにより、Ｚ軸巻線部の形成が容易になる。
【００１１】
請求項２に記載の発明は、請求項１に記載のチップ多軸アンテナにおいて、磁性体からなる２つのコア片にそれぞれ電線を巻き付けることによりＸ軸巻線部及びＹ軸巻線部を形成するとともに、それら２つのコア片を互いの中央部分において略十字状に重ね合わせることによりＸ−Ｙ軸アンテナとする構成を採用し、前記凹部は、Ｘ軸巻線部又はＹ軸巻線部が形成された一方のコア片の外形形状に対応する第１の凹部、並びにＹ軸巻線部又はＸ軸巻線部が形成された他方のコア片の外形形状に対応する第２の凹部を備え、前記第１の凹部は、略十字状に重ね合わせられた２つのコア片の中央部分の厚みに対応する深さに形成されるとともに、当該第１の凹部の開口側には、前記第２の凹部が前記他方のコア片の厚みに対応する深さに形成されてなることをその要旨とする。
【００１２】
本発明によれば、第１の凹部にはＸ軸巻線部又はＹ軸巻線部が形成された一方のコア片が、また、第２の凹部にはＹ軸巻線部又はＸ軸巻線部が形成された他方のコア片が収容される。このため、２つのコア片は、互いの中央部分において略十字状に重ね合わせられた状態で好適に凹部に収容される。
【発明の効果】
【００１３】
本発明によれば、チップ多軸アンテナの小型化が可能になり、チップ多軸アンテナの搭載が容易になる。
【発明を実施するための最良の形態】
【００１４】
（第１実施形態）
以下、本発明を具体化した第１実施形態を図１〜図７に従って説明する。
図１に示すように、車両用遠隔操作装置１１は、車両側に設けられる送受信装置１３と、ユーザによって所持される携帯機１２とを備えている。
【００１５】
送受信装置１３は、送信回路３１、受信回路３２，３３、マイクロコンピュータ（マイコン）３４及び切換回路３５を備えている。送信回路３１及び受信回路３２，３３は、それぞれマイコン３４に接続されている。そして、送信回路３１及び受信回路３３には、切換回路３５を介して送受信アンテナ３６が接続されている。この切換回路３５は、送受信アンテナ３６を、送信回路３１または受信回路３３に選択的に接続するための回路である。また、受信回路３２には、受信アンテナ３２ａが接続されている。
【００１６】
送信回路３１は、マイコン３４から出力されるリクエスト信号を所定周波数の電波に変換し、送受信アンテナ３６を介して出力するようになっている。また、送信回路３１は、マイコン３４から出力されるトランスポンダ駆動信号を所定周波数の電波に変換してトランスポンダ駆動電波を生成し、送受信アンテナ３６を介して出力するようになっている。すなわち、リクエスト信号及びトランスポンダ駆動電波は、ともに送受信アンテナ３６から出力されるようになっている。つまり、リクエスト信号の出力アンテナとトランスポンダ駆動電波の出力アンテナとが共用されている。
【００１７】
受信回路３２は、受信アンテナ３２ａを介して携帯機１２からのＩＤコード信号を受信可能となっている。この受信回路３２は、そのＩＤコード信号をパルス信号に復調して受信信号を生成するとともに、その受信信号をマイコン３４へ出力するようになっている。また、受信回路３３は、送受信アンテナ３６を介して携帯機１２からのトランスポンダ信号を受信可能となっている。このとき、送受信アンテナ３６は、切換回路３５によって受信回路３３に接続されている。そして、受信回路３３は、そのトランスポンダ信号をパルス信号に復調して受信信号を生成するとともに、その受信信号をマイコン３４へ出力するようになっている。
【００１８】
マイコン３４にはエンジン始動装置１７が電気的に接続されている。このマイコン３４は、図示しないＣＰＵ、ＲＡＭ、ＲＯＭ等から構成されており、リクエスト信号及びトランスポンダ信号を択一的に出力するようになっている。
【００１９】
そして、マイコン３４は、ＩＤコードを含む受信信号が入力されたときに、予め設定されたＩＤコードと受信信号に含まれるＩＤコードとの比較（ＩＤコードの照合）を行うようになっている。そして、それらＩＤコード同士が一致したときに、マイコン３４は、エンジン始動装置１７に対して始動許可信号を出力するようになっている。
【００２０】
また、マイコン３４は、トランスポンダコードを含む受信信号が入力されたときには、予め設定されたトランスポンダコードと受信信号に含まれるトランスポンダコードとの比較（トランスポンダコードの照合）を行うようになっている。そして、それらトランスポンダコード同士が一致したときに、マイコン３４は、エンジン始動装置１７に対して始動許可信号を出力するようになっている。この信号が出力されている間に図示しない操作ノブを回すことにより、エンジンが始動される。
【００２１】
また、図１に示すように、携帯機１２は、受信回路２０、マイクロコンピュータ（マイコン）２１、送信回路２３及びトランスポンダ２２を備えている。受信回路２０は、チップ多軸アンテナとしてのチップ三軸アンテナ７０を介して送受信装置１３からのリクエスト信号を受信して、その信号をマイコン２１に入力するようになっている。マイコン２１は、受信回路２０からリクエスト信号が入力されたときに、予め設定された所定のＩＤコードを含むＩＤコード信号を出力するようになっている。送信回路２３は、ＩＤコード信号を所定周波数の電波に変調し、チップ三軸アンテナ７０を介して送受信装置１３に送信するようになっている。
【００２２】
また、トランスポンダ２２はトランスポンダ制御部２４を備えている。トランスポンダ制御部２４は、電磁波によって十分なエネルギを受けると、予め設定された所定のトランスポンダ用のＩＤコード（トランスポンダコード）を含むトランスポンダ信号を出力するようになっている。詳しくは、このトランスポンダ制御部２４は、送受信装置１３からのトランスポンダ駆動電波を受信すると、トランスポンダ信号を出力するようになっている。
【００２３】
次に、携帯機１２の構造について説明する。
図２に示すように、携帯機１２は、合成樹脂製のケース２８によって略直方体状に形成されている。ケース２８には、電池収納部２８ｂ、メカキー収納部２８ｃ及び回路配置部２８ａが区画形成されている。電池収納部２８ｂ内には電池２６が収容され、メカキー収納部２８ｃ内にはメカキー２７が取り出し可能に収容されている。回路配置部２８ａ内に設けられた回路基板２９上には、受信回路２０、マイコン２１、送信回路２３、トランスポンダ２２及びチップ三軸アンテナ７０が実装されている。
【００２４】
図３〜図５に示すように、チップ三軸アンテナ７０は、合成樹脂製のケーシング８１を備え、その開口部には絶縁体からなる透明なフィルム８４が貼り付けられている。フィルム８４及びケーシング８１は略十字状に形成されている。ケーシング８１は、収容凹部８５を有する略十字状の本体部８２ａと、同本体部８２ａの４つの端部に形成された開口部を塞ぐキャップ８２ｂとを備えている。本体部８２ａには略十字状をなす収容凹部８５が設けられている。
【００２５】
各キャップ８２ｂの両側部には金属製の接点８３がそれぞれ２つ設けられている。つまり、接点８３はチップ三軸アンテナ７０において８箇所に設けられている。図７に示すように、各接点８３はキャップ８２ｂにインサート成形されている。接点８３は、キャップ８２ｂから回路基板２９側に突出された断面略Ｌ字状をなす実装部８３ａと、実装部８３ａの端部に接続され、キャップ８２ｂの両側面から突出された接続部８３ｂとを有している。これら実装部８３ａを回路基板２９にハンダ付けすることにより、チップ三軸アンテナ７０が固定されるようになっている。
【００２６】
図３〜図５に示すように、ケーシング８１内には磁性体からなるコア７１が収容されている。図７に示すように、コア７１は各接点８３と干渉しないように配置されている。コア７１は、棒状をなす複数（本実施形態では４つ）の腕部７２ａをそれぞれ異なる方向に延出形成することによって構成されている。つまり、コア７１は、帯状をなす２つのコア片７２を互いの中央部分において重ね合わせることにより略十字状に形成されている。よって、両コア片７２は互いに直交しており、各腕部７２ａは両コア片７２の直交部分から外方に延びている。
【００２７】
図４〜図６に示すように、両コア片７２の直交部分には、凹部７２ｂがコア片７２を厚さ方向に湾曲させることにより形成されている。両コア片７２を互いに重ね合わせたとき、凹部７２ｂの内側面７２ｃが他方のコア片７２に接触するようになっている。
【００２８】
また、両コア片７２は、コアシートを複数枚（本実施形態では３０枚）積層することによって構成されている。本実施形態において、各コアシートの板厚は１５〜２０・高ノ設定されている。また、各コアシートは可撓性を有する材料によって形成されている。本実施形態において、各コアシートは、アモルファス（非晶質）であって、Ｃｏ，Ｎｉからなる合金によって形成されている。
【００２９】
また、各腕部７２ａ及びケーシング８１には巻線部７３が形成されている。巻線部７３は、Ｘ軸巻線部７３ａ、Ｙ軸巻線部７３ｂ及びＺ軸巻線部７３ｃからなっている。Ｘ軸巻線部７３ａ及びＹ軸巻線部７３ｂは、腕部７２ａに電線７４を巻き付けることによって構成されている。Ｘ軸巻線部７３ａに発生する磁束の向きとＹ軸巻線部７３ｂに発生する磁束の向きとは互いに直交している。また、各Ｘ軸巻線部７３ａ及び各Ｙ軸巻線部７３ｂは、ケーシング８１の厚さ方向において略同一平面上に位置している。各Ｘ軸巻線部７３ａ及び各Ｙ軸巻線部７３ｂの外面は、コア７１の設置性を良くするためにほぼ平らになっている。なお、各Ｘ軸巻線部７３ａ及び各Ｙ軸巻線部７３ｂは、両コア片７２の直交部分において電線７４で接続されている。
【００３０】
また、Ｚ軸巻線部７３ｃは、前記各キャップ８２ｂの先端面に設けられた被巻装凹部８６に掛装され、ケーシング８１のキャップ８２ｂを通る最短距離の線上に沿って電線７４を周回させることによって構成されている。各被巻装凹部８６の内奥面は、図３に示す方向から見て略円弧状をなしている。そのため、電線７４を強く巻き付けてＺ軸巻線部７３ｃを構成したときに、電線７４が切断されてしまうのを防止できる。Ｚ軸巻線部７３ｃに発生する磁束の向きは、Ｘ軸巻線部７３ａ及びＹ軸巻線部７３ｂに発生する磁束の向きと直交している。Ｘ軸巻線部７３ａ、Ｙ軸巻線部７３ｂ及びＺ軸巻線部７３ｃから延出された電線７４の端部は、それぞれ前記接点８３の前記接続部８３ｂに接続されている。なお、接点８３には電線７４が接続されるものと接続されないものとがあり、電線７４が接続されないものはチップ三軸アンテナ７０を固定するためだけに用いられている。
【００３１】
本実施形態によれば、以下のような効果を得ることができる。
（１）チップ三軸アンテナ７０は、４つの腕部７２ａをそれぞれ異なる方向に延出させ、腕部７２ａにＸ軸巻線部７３ａ及びＹ軸巻線部７３ｂを形成するとともに、各コア片７２の先端を通る線上に沿ってＺ軸巻線部７３ｃを形成することによって構成される。そのため、チップ三軸アンテナ７０は、３個の１軸アンテナ１０２（図２２に図示）をそれぞれ異なる方向（互いに直交する方向）に配置したのと同じ機能を有するようになる。その結果、チップ三軸アンテナ７０の搭載スペースを、３個分の１軸アンテナ１０２の搭載スペースよりも減らすことができる。つまり、チップ三軸アンテナ７０の小型化が可能になり、携帯機１２へのチップ三軸アンテナ７０の搭載が容易になる。
【００３２】
また、図８に示されるチップ三軸アンテナ９１のように、Ｘ軸巻線部７３ａとＹ軸巻線部７３ｂとが互いに重ならないため、チップ三軸アンテナ７０をチップ三軸アンテナ９１よりも薄型化できる。
【００３３】
さらに、Ｚ軸巻線部７３ｃをコア７１の回路基板２９側とは反対側に配置した場合（後記する第２実施形態におけるチップ三軸アンテナ７０）のように、Ｚ軸巻線部７３ｃにＸ軸巻線部７３ａ及びＺ軸巻線部７３ｃが重ならないため、チップ三軸アンテナ７０を薄型化できる。
【００３４】
（２）コア７１は略十字状に形成されるものであるため、隣り合う腕部７２ａと、Ｚ軸巻線部７３ｃとで囲まれる箇所に空きスペースＡ１が生じる（図３に図示）。よって、その空きスペースＡ１を例えば他のことに有効利用できる。具体的には、空きスペースＡ１に、電磁波の影響を受けにくい抵抗等の電気部品を配置できる。
【００３５】
ここで、チップ三軸アンテナとして図８に示す構造のものが考えられる。すなわち、チップ三軸アンテナ９１は矩形状のコア７１を有し、同コア７１にはＸ軸巻線部７３ａ、Ｙ軸巻線部７３ｂ及びＺ軸巻線部７３ｃが形成されている。この場合、Ｚ軸巻線部７３ｃは、コア７１の側面９２に沿って電線７４を周回させることにより構成されている。そのため、本実施形態のチップ三軸アンテナ７０の輪郭線に相当する仮想線Ａ３上に沿って電線７４を周回させることができず、チップ三軸アンテナ９１が大型化してしまう。また、コア７１をチップ三軸アンテナ７０と同じ大きさに形成することも考えられるが、Ｘ軸巻線部７３ａ及びＹ軸巻線部７３ｂを形成するときに巻装面９３に電線７４を上手く巻装できない可能性がある。よって、本実施形態におけるチップ三軸アンテナ７０は、この図８のチップ三軸アンテナ９１よりも厚さ方向から見たときの投影面積が小さくなる。換言すると、チップ三軸アンテナ７０は、チップ三軸アンテナ９１に比較して、コア７１の厚さ方向から見て仮想線Ａ３とＺ軸巻線部７３ｃとで囲まれた領域Ａ２の部分を小型化できる。すなわち、回路基板２９に必要なチップ三軸アンテナ７０の搭載面積を小さくすることができる。
【００３６】
さらに、コア７１が略十字状に形成されているため、チップ三軸アンテナ９１の重心がその中心部である両コア片７２の直交部分に位置している。よって、チップ三軸アンテナ９１の実装時に、吸着チャックによってチップ三軸アンテナ９１を安定した状態で吸引することができる。
【００３７】
また、コア７１が略Ｔ字状に形成されている場合に比べて、Ｚ軸巻線部７３ｃの通電時に生じる磁束分布が均一になる。ゆえに、チップ三軸アンテナ９１の感度が向上する。
（３）各コア片７２の直交部分に凹部７２ｂが形成され、凹部７２ｂの内側面７２ｃが他方のコア片７２に接触しているため、コア７１をより一層薄型化できる。また、一方のコア片７２が他方のコア片７２に形成された凹部７２ｂ内に係合するため、コア７１の作製時に、各コア片７２を互いに直交した状態に位置決めできる。しかも、コア片７２は可撓性を有しているため、衝撃が加えられたときに破断しない。ゆえに、コア７１を薄型化した場合にコア７１の耐衝撃性が低下してしまうのを防止できる。
【００３８】
（４）各コア片７２は磁性体からなり、可撓性を有するコアシートを複数枚積層することによって構成されている。よって、チップ三軸アンテナ７０に衝撃が加わったときに例えばコアシートが１枚だけ折損してしまったとしても、他のコアシートは折損しないためにコア片７２全体が折損してしまうことはない。そのため、チップ三軸アンテナ７０の耐衝撃性が一層向上する。
【００３９】
（５）各キャップ８２ｂの両側部には、回路基板２９にハンダ付けされる実装部８３ａを備えた接点８３がそれぞれ設けられている。チップ三軸アンテナ７０に設けられる接点８３は最低４箇所、電線７４のハンダ付けのし易さを考えると６箇所あればよい。しかし、本実施形態のチップ三軸アンテナ７０には、接続部８３ｂに電線７４の端部が接続されていないものを含め８個の接点８３が設けられている。そのため、チップ三軸アンテナ７０をより確実に固定できる。しかも、各接点８３がキャップ８２ｂに設けられているため、各接点８３を両コア片７２の直交部分付近に配設した場合よりも、チップ三軸アンテナ７０をより確実に固定できる。
【００４０】
（６）コア７１はケーシング８１内に収容されているため、チップ三軸アンテナ７０の厚さ方向においてコア７１を容易に位置決めできる。また、ケーシング８１に被巻装凹部８６を設けることができるため、Ｚ軸巻線部７３ｃの形成が容易になる。
【００４１】
（第２実施形態）
以下、本発明を具体化した第２実施形態を図９，図１０に従って説明する。なお、第２実施形態おいて第１実施形態と同様の部分についてはその詳細な説明を省略する。
【００４２】
図９，図１０に示すように、ケーシング８１内には、Ｘ軸巻線部７３ａ及びＹ軸巻線部７３ｂが形成されるコア７１とＺ軸巻線部７３ｃとが収容されており、ケーシング８１の開口部分はカバー８１ａによって覆われている。Ｚ軸巻線部７３ｃは、コア７１の厚さ方向において、チップ三軸アンテナ７０が実装される回路基板２９側とは反対側に配置されている。Ｚ軸巻線部７３ｃは矩形の環状をなしている。Ｚ軸巻線部７３ｃは、各コア片７２の先端を通る最短距離の線上に沿って電線７４を周回させることによって形成されている。Ｚ軸巻線部７３ｃの各角部は、チップ三軸アンテナ７０の厚さ方向において各コア片７２の先端縁と一致している。Ｚ軸巻線部７３ｃの外周縁は各コア片７２の先端縁から張り出さないようになっている。
【００４３】
したがって、本実施形態によれば、以下のような効果を得ることができる。
（７）Ｚ軸巻線部７３ｃは、コア７１の厚さ方向において、チップ三軸アンテナ７０が実装される回路基板２９側とは反対側に配置されている。そのため、電線７４を各コア片７２の先端面に沿って周回させることによってＺ軸巻線部７３ｃを形成した前記第１実施形態のチップ三軸アンテナ７０に比べ、Ｚ軸巻線部７３ｃを形成できる範囲が広くなる。ゆえに、チップ三軸アンテナ７０のＺ軸方向における感度を向上させることができる。
【００４４】
また、前記第１実施形態に比べ、各コア片７２を長手方向においてＺ軸巻線部７３ｃの厚み分だけしか延長させることができない。それにも拘わらず、チップ三軸アンテナ７０のＸ軸方向及びＹ軸方向における感度を飛躍的に向上させることができる。
【００４５】
したがって、回路基板２９に必要なチップ三軸アンテナ７０の搭載面積を大きくすることなく、チップ三軸アンテナ７０の感度を向上させることができる。つまり、チップ三軸アンテナ７０の搭載面積が予め決められている場合でも、チップ三軸アンテナ７０の感度を向上させることができる。
【００４６】
（８）Ｚ軸巻線部７３ｃを形成する電線７４は、各コア片７２の先端から張り出さないように配置される。ここで、各コア片７２を長手方向において延長させなければ、チップ三軸アンテナ７０の感度を低下させることなく、チップ三軸アンテナ７０を各コア片７２の長手方向において小型化することができる。よって、回路基板２９に必要なチップ三軸アンテナ７０の搭載面積をより一層小さくすることができ、携帯機１２の小型化に有利となる。
【００４７】
（第３実施形態）
以下、本発明を具体化した第３実施形態を図１１〜図１３に従って説明する。なお、第３実施形態おいて第１実施形態と同様の部分についてはその詳細な説明を省略する。
【００４８】
図１１〜図１３に示すように、ケーシング８１は、下部が開口された箱状のカバー８１ａによって覆われている。ケーシング８１の回路基板２９側の面には４つの爪部９４が突設されている。各爪部９４は、その外側面がケーシング８１の外周縁と一致した状態で配置されており、各爪部９４の内側面には係合爪９４ａが突設されている。各係合爪９４ａは、各爪部９４が回路基板２９に貫通した状態で係合されるようになっている。
【００４９】
ケーシング８１には、略十字状をなす収容凹部８５が設けられている。また、ケーシング８１には、収容凹部８５と、ケーシング８１の外周部とで囲まれる箇所にそれぞれ配置され、略三角形状をなす収容凹部９５とが設けられている。
【００５０】
収容凹部８５内には、一方のコア片７２に電線７４を巻き付けることによって形成されるＸ軸巻線部７３ａと、他方のコア片７２に電線７４を巻き付けることによって形成されるＹ軸巻線部７３ｂとが収容されている。Ｘ軸巻線部７３ａ及びＹ軸巻線部７３ｂを形成する電線７４は、それぞれのコア片７２に対してほぼ全体的に巻き付けられている。Ｘ軸巻線部７３ａ及びＹ軸巻線部７３ｂは、両コア片７２を互いの中央部分において略十字状となるように重ね合わせる前に両コア片７２に予め形成されるようになっている。すなわち、各コア片７２に電線７４を巻き付けることによって予めＸ軸巻線部７３ａ及びＹ軸巻線部７３ｂを形成した状態で、これらＸ軸巻線部７３ａ及びＹ軸巻線部７３ｂを両コア片７２の互いの中央部分において略十字状となるように重ね合わせることにより、収容凹部８５内に収容される。
【００５１】
各収容凹部９５には接点８３が一つずつ設けられている。つまり、接点８３はチップ三軸アンテナ７０において４箇所に設けられている。各接点８３のうち３つは、Ｘ軸巻線部７３ａ及びＹ軸巻線部７３ｂからそれぞれ等しく離間した状態に配置され、残る１つは、Ｘ軸巻線部７３ａ側に片寄った状態に配置されている。よって、各接点８３は、チップ三軸アンテナ７０を厚さ方向から見たときに、Ｘ軸巻線部７３ａ及びＹ軸巻線部７３ｂに対して左右対称とならないように配置されている。
【００５２】
図１３に示すように、各接点８３はケーシング８１に設けられた貫通孔８１ｂに圧入されている。接点８３は、断面円形状をなしており、ケーシング８１から回路基板２９側に突出された実装部８３ａと、実装部８３ａの端部に接続され、収容凹部９５内に突出された接続部８３ｂとを有している。これら実装部８３ａを回路基板２９に貫通させた状態でハンダ付けすることにより、チップ三軸アンテナ７０が固定されるようになっている。
【００５３】
したがって、本実施形態によれば、以下のような効果を得ることができる。
（９）予め電線７４を巻き付けた２つのコア片７２を重ね合わせることによってチップ三軸アンテナ７０が製作されるため、チップ三軸アンテナ７０の製作時に、両コア片７２において互いに重なり合う部分に電線７４を巻き付けることができる。ゆえに、両コア片７２を重ね合わせてから電線７４を巻き付けることによってチップ三軸アンテナ７０を製作した場合に比べ、Ｘ軸巻線部７３ａ及びＹ軸巻線部７３ｂを形成できる範囲が、両コア片７２において互いに重なり合う部分だけ延長される。ゆえに、チップ三軸アンテナ７０のＸ軸方向及びＹ軸方向における感度を向上させることができる。したがって、回路基板２９に必要なチップ三軸アンテナ７０の搭載面積を大きくすることなく、チップ三軸アンテナ７０の感度を向上させることができる。
【００５４】
また、前記第１及び第２実施形態では、各腕部７２ａに電線７４を巻き付けてＸ軸巻線部７３ａ及びＹ軸巻線部７３ｂを形成するため、電線７４を４回に分けて巻き付ける必要がある。それに対して、本実施形態では、各コア片７２のほぼ全体に電線７４を巻き付けてＸ軸巻線部７３ａ及びＹ軸巻線部７３ｂを形成するため、電線７４を２回に分けて巻き付けるだけでよい。ゆえに、チップ三軸アンテナ７０の作製時の作業性を向上させることができる。
【００５５】
しかも、Ｘ軸巻線部７３ａ及びＹ軸巻線部７３ｂを形成する場合において、１軸アンテナ１０２を製作するのに用いられてきた従来の設備を使用することができるため、チップ三軸アンテナ７０の製作コストを低減させることができる。
【００５６】
（１０）接点８３の実装部８３ａは、回路基板２９に貫通した状態でハンダ付けされている。そのため、チップ三軸アンテナ７０は、前記第１及び第２実施形態のようにハンダの接着力だけによって固定される訳ではなく、実装部８３ａの外周面と回路基板２９との摩擦力によっても固定される。しかも、実装部８３ａと回路基板２９との接続部分にはハンダフィレットが形成される。よって、チップ三軸アンテナ７０の固定強度を向上させることができる。
【００５７】
（１１）各接点８３は、各コア片７２を厚さ方向から見たときに、Ｘ軸巻線部７３ａ及びＹ軸巻線部７３ｂに対して左右対称とならないように配置されている。そのため、チップ三軸アンテナ７０を間違った向きで回路基板２９に取付けようとしても、各接点８３を回路基板２９に貫通させることができない。よって、チップ三軸アンテナ７０の誤取り付けにより、携帯機１２が誤作動するのを防止できる。
【００５８】
（１２）各コア片７２の厚さ方向における回路基板２９側に、同回路基板２９に貫通した状態で係合される爪部９４が配置されている。そのため、チップ三軸アンテナ７０をハンダ付けするために回路基板２９を裏返したとき、チップ三軸アンテナ７０は、爪部９４によって回路基板２９に仮止めされているために脱落してしまうことはない。よって、チップ三軸アンテナ７０の取付作業が容易になる。
【００５９】
また、チップ三軸アンテナ７０は、各接点８３をハンダ付けすることだけでなく、各爪部９４を係合することによっても回路基板２９に固定される。よって、チップ三軸アンテナ７０の固定強度がより一層向上する。
【００６０】
なお、前記各実施形態は以下のように変更してもよい。
・前記第１実施形態において、図１４〜図１６に示すように、各コア片７２を、焼結により形成してもよい。
【００６１】
・前記各実施形態において、図１７に示すように、コア片７２を一体形成してコア７１を構成してもよい。なお、コア７１がアモルファスからなる合金によって形成されている場合、コア７１は、略十字状をなすコアシートを複数積層することにより形成される。また、コア７１がフェライトによって形成されている場合、コア７１はプレス成形によって形成される。このように構成すれば、各腕部７２ａの向きが予め設定されているため、各腕部７２ａを確実に位置決めできる。ゆえに、チップ三軸アンテナ７０を確実に実装できる。また、チップ三軸アンテナ７０が厚くなってしまうのを防止できる。
【００６２】
・前記各実施形態において、コア７１を、２つのコア片７２を重ね合わせることにより略Ｔ字状に形成してもよい。また、コア７１を略Ｔ字状に一体形成してもよい。
・前記各実施形態において、各コア片７２の直交部分のうち一方のみをコア片７２の厚さ方向に湾曲させて凹部７２ｂを形成してもよい。
【００６３】
・前記第１実施形態では、各接点８３がキャップ８２ｂの両側部に設けられていた。しかし、図１８に示すように、各接点８３をキャップ８２ｂの先端縁に設けてもよい。この場合、チップ三軸アンテナ７０の接点８３は計４箇所に設けられる。
【００６４】
・図１９，図２０に示すように、隣り合う腕部７２ａと、Ｚ軸巻線部７３ｃとで囲まれる箇所（前記実施形態において空きスペースＡ１にあたる箇所）に、各接点８３を設けてもよい。このように構成すれば、各接点８３をキャップ８２ｂの先端縁に設けた場合（図１８に図示）に比べ、チップ三軸アンテナ７０が小型化される。また、実装部８３ａを前記実施形態の場合よりも長くなるように設定しても、実装部８３ａが巻線部７３に干渉することはない。ゆえに、チップ三軸アンテナ７０と回路基板２９との接触面積を大きくすることができるため、チップ三軸アンテナ７０の実装が容易になる。
【００６５】
・前記第２実施形態において、Ｚ軸巻線部７３ｃをコア７１の回路基板２９側に配置してもよい。また、Ｚ軸巻線部７３ｃを、コア７１の回路基板２９側及びその反対側にそれぞれ配置してもよい。このように構成すれば、Ｚ軸巻線部７３ｃを２倍に増やすことができるため、チップ三軸アンテナ７０のＺ軸方向における感度を向上させることができる。
【００６６】
・前記第２実施形態において、Ｚ軸巻線部７３ｃを形成する電線７４は、各コア片７２の先端を通る最短距離の線上に沿って周回していなくてもよい。すなわち、例えば図２１に示すように、Ｚ軸巻線部７３ｃの各角部は、チップ三軸アンテナ７０の厚さ方向において各コア片７２の先端縁と一致していなくてもよい。
【００６７】
・前記各実施形態において、コア片７２をケーシング８１内に収容せずに、回路基板２９にそのまま実装してもよい。
次に、上記実施形態及び他の実施形態によって把握される技術的思想を以下に記載する。
【００６８】
（１）前記各コア片は、可撓性を有するコアシートを複数枚積層することによって構成されること。よって、技術的思想（１）によれば、チップ多軸アンテナの耐衝撃性がより一層向上する。
【００６９】
（２）前記電線に接続される接続部と、回路基板に貫通した状態で実装される実装部とを備えた接点が複数設けられていること。よって、技術的思想（２）によれば、チップ三軸アンテナの固定強度を向上させることができる。
【００７０】
（３）技術的思想（２）において、前記各接点は、前記各コア片を厚さ方向から見たときに、前記Ｘ軸巻線部及び前記Ｙ軸巻線部に対して左右対称とならないように配置されていることを特徴とするチップ三軸アンテナ。よって、技術的思想（３）によれば、チップ三軸アンテナの誤取り付けを防止することができる。
【００７１】
（４）前記各コア片の厚さ方向における回路基板側に、同回路基板に貫通した状態で係合される爪部を配置したこと。よって、技術的思想（４）によれば、チップ三軸アンテナの取付作業が容易になる。
【図面の簡単な説明】
【００７２】
【図１】第１実施形態における車両用遠隔操作装置の電気的構成を示すブロック図。
【図２】携帯機の断面図。
【図３】チップ三軸アンテナの正面図。
【図４】図３のＡ−Ａ線断面図。
【図５】チップ三軸アンテナの全体斜視図。
【図６】コアを示す全体斜視図。
【図７】図３のＢ−Ｂ線断面図。
【図８】第１実施形態と異なる構成を比較して示すチップ三軸アンテナの全体斜視図。
【図９】第２実施形態におけるチップ三軸アンテナの裏面図。
【図１０】図９のＤ−Ｄ線断面図。
【図１１】第３実施形態におけるチップ三軸アンテナの正面図。
【図１２】図１１のＥ−Ｅ線断面図。
【図１３】図１１のＦ−Ｆ線断面図。
【図１４】他の実施形態におけるチップ三軸アンテナの断面図。
【図１５】他の実施形態におけるチップ三軸アンテナの全体斜視図。
【図１６】他の実施形態におけるコアを示す全体斜視図。
【図１７】他の実施形態におけるコアを示す全体斜視図。
【図１８】他の実施形態におけるチップ三軸アンテナの断面図。
【図１９】他の実施形態におけるチップ三軸アンテナの正面図。
【図２０】図１６のＣ−Ｃ線断面図。
【図２１】他の実施形態におけるチップ三軸アンテナの裏面図。
【図２２】従来技術における携帯機の断面図。
【符号の説明】
【００７３】
７０…チップ多軸アンテナとしてのチップ三軸アンテナ、７１…コア、７２…コア片、７２ａ…腕部、７２ｂ…凹部、７２ｃ…内側面、７３…巻線部、７３ａ…Ｘ軸巻線部、７３ｂ…Ｙ軸巻線部、７３ｃ…Ｚ軸巻線部、７４…電線、８１…ケーシング、８１ａ…カバー、８５…収容凹部（凹部）、８６…被巻装凹部。
【図１】
0004539999.tif 000002
【図２】
0004539999.tif 000003
【図３】
0004539999.tif 000004
【図４】
0004539999.tif 000005
【図５】
0004539999.tif 000006
【図６】
0004539999.tif 000007
【図７】
0004539999.tif 000008
【図８】
0004539999.tif 000009
【図９】
0004539999.tif 000010
【図１０】
0004539999.tif 000011
【図１１】
0004539999.tif 000012
【図１２】
0004539999.tif 000013
【図１３】
0004539999.tif 000014
【図１４】
0004539999.tif 000015
【図１５】
0004539999.tif 000016
【図１６】
0004539999.tif 000017
【図１７】
0004539999.tif 000018
【図１８】
0004539999.tif 000019
【図１９】
0004539999.tif 000020
【図２０】
0004539999.tif 000021
【図２１】
0004539999.tif 000022
【図２２】
0004539999.tif 000023